(57)【要約】  本発明の課題は、電気的な制御を行うことなく簡潔な構成で自発光素子の焼きつきの顕著化を低く抑えることができる画像表示装置を提供することである。  透過パネル（１５）に、自発光素子（１１）の固定画像領域（１１ａ）に対応して、不透明化した固定画像領域（１６）を形成して、この固定画像領域（１６）に焼きつきを起こしやすい固定画像である固定ピクトを配置する。これにより、固定ピクトのエッジがぼやけて自発光素子（１１）の焼きつきの顕著化が低減する。したがって、電気的な制御を行うことなく簡潔な構成で、自発光素子（１１）の焼きつきの顕著化を低く抑えることができる。なお、固定ピクトは元々コントラストが高いため、多少エッジがぼやけても視認性が顕著に悪くなることはない。
2008053537.tif 000002
【特許請求の範囲】
【請求項１】
平板状に形成され、所定時間以上点灯する固定画像を表示する固定画像領域を持つ自発光素子と、
前記自発光素子の表示面側に近接配置される透過パネルと、
を備え、
前記固定画像領域に対応して、前記自発光素子又は前記透過パネルに不透明化した領域を設けた画像表示装置。
【請求項２】
少なくとも不透明化した前記固定画像領域にグラデーションを付け、点灯確率の高い固定画像を前記固定画像領域の透過率の低い側に配置した請求項１に記載の画像表示装置。
【請求項３】
前記固定画像が点灯確率の異なる少なくとも２つの部分から構成され、点灯確率の高い部分を前記固定画像領域の透過率の低い側に配置し、点灯確率の低い部分を前記固定画像領域の透過率の高い側に配置した請求項２に記載の画像表示装置。
【請求項４】
前記固定画像領域に対して、前記固定画像領域の幅方向である垂直方向にグラデーションを付けた請求項２又は請求項３に記載の画像表示装置。
【請求項５】
前記固定画像領域に対して、前記固定画像領域の長さ方向である水平方向にグラデーションを付けた請求項２又は請求項３に記載の画像表示装置。
【請求項６】
前記固定画像領域に対して、前記固定画像領域の幅方向である垂直方向及び前記固定画像領域の長さ方向である水平方向のそれぞれにグラデーションを付けた請求項２又は請求項３に記載の画像表示装置。
【請求項７】
請求項１乃至請求項６のいずれかに記載の画像表示装置を備えた携帯端末。
【請求項８】
平板状に形成され、所定時間以上点灯する固定画像を表示する第１領域と、規則性のない不規則画像を表示する第２領域を持つ自発光素子と、
前記自発光素子の表示面側に近接配置される透過パネルと、
前記第１領域に対応して不透明化した、前記自発光素子又は前記透過パネル上の不透明化領域と、
前記第２領域に対応して透明化し、前記不透明化領域より透過率が高い、前記自発光素子又は前記透過パネル上の透明化領域と、
を備えた画像表示装置。
【発明の詳細な説明】
【技術分野】
【０００１】
本発明は、有機ＥＬ（エレクトロルミネセンス）素子等の自発光素子を備えた画像表示装置に関する。
【背景技術】
【０００２】
有機ＥＬ素子は、自ら発光することから、液晶表示装置では必要なバックライトが不要となり、装置の更なる薄型化や軽量化が図れるという利点がある。しかしながら、その一方で有機ＥＬ素子は一定時間以上発光すると輝度が所定輝度以下に小さくなってしまう。即ち寿命が来てしまう。その為、特定の画像を表示し続けるとその画像に対応する素子のみで経年劣化が進み、対応する素子のみ輝度が小さくなってしまう焼きつきを起こす欠点がある。焼きつきが顕著に現れる主な原因として固定画像である固定ピクト（例えば、携帯端末の場合、アンテナバーや電池マーク等）の表示がある。発光に伴う焼きつきが少なく寿命の長い有機発光材料の開発が待たれているが、焼きつきが顕著に現れるのをできるだけ低く抑えるだけに留まっているのが現状であり、その方法として幾つか提案されている（例えば、特許文献１参照）。特許文献１では、以下に示す３つの方法が開示されている。【０００３】
・画像を表示する際に、その画像が表示されない領域を、一般的な画像の輝度平均と推測される白３０％程度の色で表示する。【０００４】
・文字を表示する際に、文字部分は黒色又は背景部分よりも輝度の低い色で表示するとともに、背景部分は白色又は文字部分よりも輝度の高い色で表示する黒文字表示モードと、背景部分は黒色又は文字部分よりも輝度の低い色で表示するとともに、文字部分は白色又は背景部分よりも輝度の高い色で表示する白文字表示モードを設けて、これらの表示モードの切り替えを、一定の周期、ユーザ操作に応じた所定のタイミング、あるいはランダムなタイミングで行う。【０００５】
・状況に応じて点灯箇所が増加したり減少したりする固定画像（固定ピクト）の表示において、点灯する確率の高い箇所ほど予め表示輝度を低く設定しておく。
【特許文献１】ＷＯ２００３／０７５２５５（特願２００３−５７３６３１）号公報
【発明の開示】
【発明が解決しようとする課題】
【０００６】
しかしながら、上述した従来の有機ＥＬ素子における焼きつきの顕著化を低く抑える方法は、いずれも電気的な制御によるものであり、専用の回路や該回路を動作させるためのプログラムが必要となり、その分、製品のコストが高くなってしまうという問題がある。      【０００７】
本発明は、係る事情に鑑みてなされたものであり、電気的な制御を行うことなく簡潔な構成で、自発光素子の焼きつきの顕著化を低く抑えることができる画像表示装置を提供することを目的とする。
【課題を解決するための手段】
【０００８】
上記目的は下記構成により達成される。【０００９】
本発明の画像表示装置は、平板状に形成され、所定時間以上点灯する固定画像を表示する固定画像領域を持つ自発光素子と、前記自発光素子の表示面側に近接配置される透過パネルと、を備え、前記固定画像領域に対応して、前記自発光素子又は前記透過パネルに不透明化した領域を設けた。【００１０】
この構成によれば、焼きつきしやすい固定画像を不透明化した領域に配置することで、固定画像のエッジがぼやけて自発光素子の焼きつきの顕著化が低減する。このように、電気的な制御を行うことなく簡潔な構成で、自発光素子の焼きつきの顕著化を低く抑えることができる。なお、固定画像は元々コントラストが高いため、多少エッジがぼやけても視認性が顕著に悪くなることはない。【００１１】
本発明の画像表示装置において、少なくとも不透明化した前記固定画像領域にグラデーションを付け、点灯確率の高い固定画像を前記固定画像領域の透過率の低い側に配置した。【００１２】
この構成によれば、点灯確率の異なる複数の固定画像がある場合、透過率の低い領域側に点灯確率の高い固定画像を配置することで、固定画像全体の自発光素子に対する焼きつきの顕著化を均一にできる。【００１３】
本発明の画像表示装置において、前記固定画像が点灯確率の異なる少なくとも２つの部分から構成され、点灯確率の高い部分を前記固定画像領域の透過率の低い側に配置し、点灯確率の低い部分を前記固定画像領域の透過率の高い側に配置した。【００１４】
この構成によれば、例えば携帯端末のアンテナバーや電池マークのように、点灯確率の異なる複数の部分から構成される固定画像がある場合、点灯確率の高い部分を透過率の低い領域側に、点灯確率の低い部分を透過率の高い領域側に配置することで、点灯確率の異なる複数の部分から構成される固定画像の自発光素子に対する焼きつきの顕著化を均一にできる。【００１５】
本発明の画像表示装置において、前記固定画像領域に対して、前記固定画像領域の幅方向である垂直方向にグラデーションを付けた。【００１６】
この構成によれば、点灯確率の異なる複数の固定画像を垂直方向に表示する場合、点灯確率の高い固定画像を透過率の低い領域側に配置し、点灯確率の低い固定画像を透過率の高い領域側に配置することで、固定画像全体の自発光素子に対する焼きつきの顕著化を均一にできる。【００１７】
本発明の画像表示装置において、前記固定画像領域に対して、前記固定画像領域の長さ方向である水平方向にグラデーションを付けた。【００１８】
この構成によれば、点灯確率の異なる複数の固定画像を水平方向に表示する場合、点灯確率の高い固定画像を透過率の低い領域側に配置し、点灯確率の低い固定画像を透過率の高い領域側に配置することで、固定画像全体の自発光素子に対する焼きつきの顕著化を均一にできる。【００１９】
本発明の画像表示装置において、前記固定画像領域に対して、前記固定画像領域の幅方向である垂直方向及び前記固定画像領域の長さ方向である水平方向のそれぞれにグラデーションを付けた。【００２０】
この構成によれば、透過率を直線的に連続して変化させるのではなく、部分的（あるいは段階的）に変化させることが可能となり、固定画像が例えば携帯端末のアンテナバーのように点灯確率の異なる複数の部分から構成される場合、透過率の低い領域から高い領域に向けて点灯確率の高い部分から順に配置することで、アンテナバー全体の自発光素子に対する焼きつきの顕著化を均一にできる。【００２１】
本発明の携帯端末は、上記画像表示装置のいずれかを備える。【００２２】
この構成によれば、焼きつきしやすい固定画像を不透明化した領域に配置することで、固定画像のエッジがぼやけて自発光素子の焼きつきの顕著化を低減させることができる。      【００２３】
本発明の画像表示装置は、平板状に形成され、所定時間以上点灯する固定画像を表示する第１領域と、規則性のない不規則画像を表示する第２領域を持つ自発光素子と、前記自発光素子の表示面側に近接配置される透過パネルと、前記第１領域に対応して不透明化した、前記自発光素子又は前記透過パネル上の不透明化領域と、前記第２領域に対応して透明化し、前記不透明化領域より透過率が高い、前記自発光素子又は前記透過パネル上の透明化領域と、を備える。【００２４】
この構成によれば、焼きつきしやすい固定画像を不透明化領域に配置することで、固定画像のエッジがぼやけて自発光素子の焼きつきの顕著化が低減する。このように、電気的な制御を行うことなく簡潔な構成で、自発光素子の焼きつきの顕著化を低く抑えることができる。なお、固定画像は元々コントラストが高いため、多少エッジがぼやけても視認性が顕著に悪くなることはない。
【発明の効果】
【００２５】
本発明の画像表示装置は、電気的な制御を行うことなく簡潔な構成で、自発光素子の焼きつきの顕著化を低く抑えることができる。
【図面の簡単な説明】
【００２６】
【図１】本発明の実施の形態１に係る画像表示装置の概略構成を示す分解斜視図
【図２】本発明の実施の形態１に係る画像表示装置の透過パネルとその透過率をグラフ表示した図
【図３】本発明の実施の形態２に係る画像表示装置の透過パネルとその透過率をグラフ表示した図
【図４】本発明の実施の形態３に係る画像表示装置の透過パネルとその透過率をグラフ表示した図
【図５】本発明の実施の形態３に係る画像表示装置の透過パネルの固定画像領域に付けたグラデーションのうち、左端部分を拡大表示するとともに、当該部分の透過率をグラフ表示した図
【図６】本発明の実施の形態３に係る画像表示装置の透過パネルの固定画像領域に配置される固定ピクトの一例であるアンテナバーを示す図
【図７】本発明の実施の形態３に係る画像表示装置の透過パネルの固定画像領域にアンテナバーを配置した状態を示す図
【符号の説明】
【００２７】
１０  筐体
１１  自発光素子
１１ａ  固定画像領域
１２  クッション
１３  上部パネル
１５、２０、３０  透過パネル
１６、２１、３１  固定画像領域
１７  枠体
２０ａ、３０ａ、３０ｂ  外周端
４０  アンテナバー
【発明を実施するための最良の形態】
【００２８】
以下、本発明を実施するための好適な実施の形態について、図面を参照して詳細に説明する。【００２９】
（実施の形態１）
図１は、本発明の実施の形態１に係る画像表示装置の概略構成を示す分解斜視図である。本実施の形態の画像表示装置は、携帯電話等の携帯端末に適用したものであり、携帯端末の筐体１０の上部に設けられ、平板状に形成され、所定時間以上点灯する固定画像を表示する固定画像領域１１ａを持つ自発光素子１１と、自発光素子１１の表示面側に近接配置される上部パネル１３とを備えて構成される。自発光素子１１には、例えば有機ＥＬ素子が用いられる。自発光素子１１と上部パネル１３との間に、発泡ウレタン等の緩衝材を矩形の枠状に形成したクッション１２が介挿される。【００３０】
上部パネル１３は、透過パネル１５と、この透過パネル１５を支持する枠体１７とから構成される。透過パネル１５の一部分には、自発光素子１１の固定画像領域１１ａに対応して、不透明化（透過率を下げることと同等）した帯状の固定画像領域１６が透過パネル１５の幅方向（即ち、水平方向）に形成されている。不透明化した固定画像領域１６は絶対的な輝度を下げるものであり、自発光素子１１に表示する固定画像である固定ピクトを固定画像領域１６に配置することで、固定ピクトのエッジがぼやけて自発光素子１１の焼きつきの顕著化を低く抑える。即ち、不透明化した固定画像領域１６を設けることで絶対的な輝度を下げることができるので、固定ピクトの焼きつきが自発光素子１１に生じた場合に、焼きつきが生じた部分と生じていない部分との輝度差が小さくなって、焼きつきの顕著化が低く抑えられる。因みに、携帯端末で使用されるアンテナバーや電池マーク等の固定ピクトは元々コントラストが非常に高いため、エッジがぼやけて輝度が下がっても視認性が顕著に悪くなることがない。なお、固定画像領域１６を不透明化する方法としては、鑢をかけてパネル表面を荒らす方法やパネル表面に印刷を行う方法等が挙げられる。【００３１】
図２は、透過パネル１５とその透過率をグラフ表示した図である。同図に示すように、透過パネル１５の固定画像領域１６の透過率は全体に亘って均一で例えば２０％程度であり、それ以外の部分（通常表示領域）の透過率は全体に亘って均一で理想的には１００％である。上記通常表示領域には、通常の画像、即ち規則性のない不規則画像が表示される。【００３２】
有機ＥＬ素子の仕様は、例えば白輝度＝１５０ｃｄ／ｍ２、黒輝度＝０．１５ｃｄ／ｍ２、コントラスト＝１，０００：１である。透過パネル１５をモデル化し、透明部（透過パネル１５の固定画像領域１６以外の通常表示領域）の透過率＝１００％、不透明部（透過パネル１５の固定画像領域１６）の透過率＝５０％、白輝度＝２００ｃｄ／ｍ２、焼きついた白輝度＝１００ｃｄ／ｍ２、黒輝度＝１ｃｄ／ｍ２の場合には、透明部の白輝度と焼きついた白輝度の差は１００ｃｄ／ｍ２となり、不透明部の白輝度と焼きついた白輝度の差は５０ｃｄ／ｍ２となる。コントラストは、２００／１（透明部）＝１００／０．５（不透明部）＝２００である。この式は、透明部であろうが、不透明部であろうが、コントラストは不変であることを意味している。【００３３】
このように本実施の形態の画像表示装置によれば、透過パネル１５に不透明化した固定画像領域１６を形成して、固定画像領域１６に焼きつきを起こしやすい固定画像である固定ピクトを配置したので、自発光素子１１に固定ピクトを表示することによる焼きつきの顕著化を低く抑えることができる。即ち、電気的な制御を行うことなく簡潔な構成で自発光素子１１の焼きつきの顕著化を低く抑えることができる。【００３４】
なお、本実施の形態では、透過パネル１５に鑢をかけたり、印刷を行ったりして固定画像領域１６の不透明化を図っていたが、透過パネル１５の表面もしくは自発光素子１１の表面に車の窓に貼るスモークフィルム（所謂カーフィルム）のようなシール状のものを貼ることにより不透明化した固定画像領域１６として設けることも可能である。【００３５】
（実施の形態２）
図３は、本発明の実施の形態２に係る画像表示装置の透過パネルとその透過率をグラフ表示した図である。同図において、本実施の形態の画像表示装置の透過パネル２０は、上述した実施の形態１の透過パネル１５と同様に、該透過パネル２０に不透明化した固定画像領域２１を形成したものであるが、実施の形態１の透過パネル１５と異なる点はグラデーションを付けている点である。透過パネル２０に付けたグラデーションは、図３の透過率を示すグラフ表示から明らかなように、固定画像領域２１の幅方向（即ち、垂直方向）に透過率が直線的に徐々に高くなるものである。即ち、本実施の形態の透過パネル２０に付けたグラデーションは、透過パネル２０の長さ方向の外周端２０ａから固定画像領域２１以外の通常表示領域側（即ち、内側）へ向かうに従って透過率が上がるようにしたものである。【００３６】
透過パネル２０のグラデーションを付けた領域に自発光素子１１により点灯確率の異なる複数の固定画像である固定ピクトを表示する場合、透過率の高い領域側に点灯確率の低い固定ピクトを配置し、透過率の低い領域側に点灯確率の高い固定ピクトを配置する。例えば、携帯端末で使用されるアンテナバーや電池マーク等の点灯確率の高い固定ピクトの場合、該固定ピクトを固定画像領域２１の透過率の低い領域側に配置する。このように、焼きつきを起こしやすい固定ピクトほど透過率の低い領域側に配置することで、固定ピクト全体の自発光素子１１に対する焼きつきの顕著化の均一化が図れる。【００３７】
このように本実施の形態の画像表示装置によれば、透過パネル２０に、その長さ方向の外周端２０ａから固定画像領域２１以外の通常表示領域側（内側）へ向かうに従って透過率が上がるようにしたグラデーションを付けたので、点灯確率の異なる複数の固定画像である固定ピクトがある場合に、点灯確率の高い固定ピクトほど透過率の低い領域側に配置することで、固定ピクト全体の自発光素子１１に対する焼きつきの顕著化の均一化が図れる。【００３８】
なお、本実施の形態では、透過パネル２０に対して、固定画像領域２１の幅方向（即ち、垂直方向）に透過率が直線的に徐々に高くなるようなグラデーションを付けたが、固定画像領域２１の長さ方向（即ち、水平方向）に透過率が直線的に徐々に高くなるようなグラデーションを付けることも可能である。この場合も点灯確率の低い固定ピクトを透過率の高い領域側に、点灯確率の高い固定ピクトを透過率の低い領域側に配置することで、固定ピクト全体の自発光素子１１に対する焼きつきの顕著化の均一化が図れる。【００３９】
また、本実施の形態でも実施の形態１と同様に、透過パネル２０に鑢をかけたり、印刷を行ったりしてグラデーションを付けることができるが、透過パネル２０の表面もしくは自発光素子１１の表面に車の窓に貼るスモークフィルム（所謂カーフィルム）のようなシール状のものを貼ることによりグラデーションを付けることも可能である。【００４０】
（実施の形態３）
図４は、本発明の実施の形態３に係る画像表示装置の透過パネルとその透過率をグラフ表示した図である。同図において、本実施の形態の画像表示装置の透過パネル３０は、上述した実施の形態２の透過パネル２０と同様に、該透過パネル３０にグラデーションを付けた固定画像領域３１を形成したものであるが、実施の形態２の透過パネル２０と異なる点は、垂直方向及び水平方向のそれぞれにグラデーションを付けている点である。特に、本実施の形態の透過パネル３０に付けたグラデーションでは、図４の透過率を示すグラフ表示から明らかなように、固定画像領域３１の幅方向（即ち、垂直方向）に透過率が直線的に徐々に高くなるとともに、長さ方向（即ち、水平方向）の両端部分のそれぞれから透過パネル３０の中央に向かうに従って透過率が直線的に徐々に高くなるようにしている。      【００４１】
図５は、固定画像領域３１に付けたグラデーションのうち、左端部分を拡大表示するとともに、当該部分の透過率をグラフ表示した図である。同図に示すように、固定画像領域３１の透過率は、透過パネル３０の幅方向（即ち、水平方向）の外周端３０ｂからパネル中央に向かうに方向において、初めは一定の値をとり、その後、１００％程度になるまで直線的に徐々に高くなるようにしている（透過率Ａ＜透過率Ｂ）。そして、例えば図６に示すアンテナバー４０のように点灯確率の異なる複数の部分４０ａ〜４０ｄから構成される固定ピクトを固定画像領域３１に配置する場合、図７に示すように最も点灯確率の高い部分４０ａを透過率の最も低い外周端３０ｂ側に配置し、残りの部分４０ｂ〜４０ｄは透過率が高くなる方向に順次配置する。【００４２】
このように配置することで、アンテナバー４０の各部分４０ａ〜４０ｄによる自発光素子１１の焼きつきの顕著化を均一にできる。なお、この場合、アンテナバー４０の各部分４０ａ〜４０ｄの点灯確率は、４０ａ＞４０ｂ＞４０ｃ＞４０ｄである。点灯確率の異なる複数の部分から構成される固定ピクトには、アンテナバーの他に電池マークもあり、この場合もアンテナバーの場合と同様に各部分を配置することで、各部分による自発光素子１１の焼きつきの顕著化の均一化が図れる。【００４３】
このように本実施の形態の画像表示装置によれば、透過パネル３０に、その長さ方向の外周端３０ａから固定画像領域３１以外の通常表示領域側（内側）へ向かうに従って透過率が直線的に徐々に高くなるとともに、幅方向の両端部分のそれぞれの外周端３０ｂから透過パネル３０の中央に向かうに従って透過率が直線的に徐々に高くなるようにしたグラデーションを付けたので、点灯確率の異なる複数の部分から構成される固定画像である固定ピクトを表示する場合に、点灯確率の低い部分を透過率の高い領域側に、点灯確率の高い部分を透過率の低い領域側に配置することで、点灯確率の異なる複数の部分から構成される固定ピクトによる自発光素子１１の焼きつきの顕著化を均一にできる。【００４４】
なお、本実施の形態でも実施の形態１と同様に、透過パネル３０に鑢をかけたり、印刷を行ったりしてグラデーションを付けることができるが、透過パネル３０の表面もしくは自発光素子１１の表面に車の窓に貼るスモークフィルム（所謂カーフィルム）のようなシール状のものを貼ることによりグラデーションを付けることも可能である。【００４５】
また、上記実施の形態１〜３では、本発明を携帯端末に適用した場合を想定していたが、固定ピクト等の固定画像を表示する機能を有する画像表示装置の全てに適用することができる。【００４６】
また、上記実施の形態１〜３では、通常の画像の表示と固定ピクトの表示を同一の自発光素子１１で行うので、通常の画像の表示と固定ピクトの表示を別個に行う場合と比べてソフトウェア制御やハードウェア構成を簡略化できる。因みに、固定ピクトの種類の少ない場合、従来は固定ピクトのＬＥＤ（発光ダイオード）を点灯させている。また、固定ピクトを直接自発光素子１１に表示することで、自発光素子１１の配置を物理的に縦方向から横方向あるいはその逆に変更しても、通常の画像の表示と固定ピクトの表示を自由に対応させることができる。【００４７】
また、上記実施の形態１〜３では、自発光素子１１として、有機ＥＬ素子を想定していたが、その他、例えばプラズマ表示素子を用いても構わない。【００４８】
本発明を詳細にまた特定の実施態様を参照して説明したが、本発明の精神と範囲を逸脱することなく様々な変更や修正を加えることができることは当業者にとって明らかである。
【産業上の利用可能性】
【００４９】
本発明は、電気的な制御を行うことなく簡潔な構成で自発光素子の焼きつきの顕著化を低く抑えることができるといった効果を有し、固定ピクト等の固定画像を表示する機能を有する画像表示装置の全てに適用が可能である。
【図１】
2008053537.tif 000003
【図２】
2008053537.tif 000004
【図３】
2008053537.tif 000005
【図４】
2008053537.tif 000006
【図５】
2008053537.tif 000007
【図６】
2008053537.tif 000008
【図７】
2008053537.tif 000009
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
平板状に形成され、所定時間以上点灯する固定画像を表示する固定画像領域を持つ自発光素子と、
前記自発光素子の表示面側に近接配置される透過パネルと、
を備え、
前記固定画像領域に対応して、前記自発光素子又は前記透過パネルに不透明化した領域を設けた画像表示装置。
【請求項２】
少なくとも不透明化した前記固定画像領域にグラデーションを付け、点灯確率の高い固定画像を前記固定画像領域の透過率の低い側に配置した請求項１に記載の画像表示装置。
【請求項３】
前記固定画像が点灯確率の異なる少なくとも２つの部分から構成され、点灯確率の高い部分を前記固定画像領域の透過率の低い側に配置し、点灯確率の低い部分を前記固定画像領域の透過率の高い側に配置した請求項２に記載の画像表示装置。
【請求項４】
前記固定画像領域に対して、前記固定画像領域の幅方向である垂直方向にグラデーションを付けた請求項２又は請求項３に記載の画像表示装置。
【請求項５】
前記固定画像領域に対して、前記固定画像領域の長さ方向である水平方向にグラデーションを付けた請求項２又は請求項３に記載の画像表示装置。
【請求項６】
前記固定画像領域に対して、前記固定画像領域の幅方向である垂直方向及び前記固定画像領域の長さ方向である水平方向のそれぞれにグラデーションを付けた請求項２又は請求項３に記載の画像表示装置。
【請求項７】
請求項１乃至請求項６のいずれかに記載の画像表示装置を備えた携帯端末。
【請求項８】
平板状に形成され、所定時間以上点灯する固定画像を表示する第１領域と、規則性のない不規則画像を表示する第２領域を持つ自発光素子と、
前記自発光素子の表示面側に近接配置される透過パネルと、
前記第１領域に対応して不透明化した、前記自発光素子又は前記透過パネル上の不透明化領域と、
前記第２領域に対応して透明化し、前記不透明化領域より透過率が高い、前記自発光素子又は前記透過パネル上の透明化領域と、
を備えた画像表示装置。
【手続補正２】
【補正対象書類名】明細書
【補正対象項目名】全文
【補正方法】変更
【補正の内容】
【発明の詳細な説明】
【技術分野】
【０００１】
本発明は、有機ＥＬ（エレクトロルミネセンス）素子等の自発光素子を備えた画像表示装置に関する。
【背景技術】
【０００２】
有機ＥＬ素子は、自ら発光することから、液晶表示装置では必要なバックライトが不要となり、装置の更なる薄型化や軽量化が図れるという利点がある。しかしながら、その一方で有機ＥＬ素子は一定時間以上発光すると輝度が所定輝度以下に小さくなってしまう。即ち寿命が来てしまう。その為、特定の画像を表示し続けるとその画像に対応する素子のみで経年劣化が進み、対応する素子のみ輝度が小さくなってしまう焼きつきを起こす欠点がある。焼きつきが顕著に現れる主な原因として固定画像である固定ピクト（例えば、携帯端末の場合、アンテナバーや電池マーク等）の表示がある。発光に伴う焼きつきが少なく寿命の長い有機発光材料の開発が待たれているが、焼きつきが顕著に現れるのをできるだけ低く抑えるだけに留まっているのが現状であり、その方法として幾つか提案されている（例えば、特許文献１参照）。特許文献１では、以下に示す３つの方法が開示されている。
【０００３】
・画像を表示する際に、その画像が表示されない領域を、一般的な画像の輝度平均と推測される白３０％程度の色で表示する。
【０００４】
・文字を表示する際に、文字部分は黒色又は背景部分よりも輝度の低い色で表示するとともに、背景部分は白色又は文字部分よりも輝度の高い色で表示する黒文字表示モードと、背景部分は黒色又は文字部分よりも輝度の低い色で表示するとともに、文字部分は白色又は背景部分よりも輝度の高い色で表示する白文字表示モードを設けて、これらの表示モードの切り替えを、一定の周期、ユーザ操作に応じた所定のタイミング、あるいはランダムなタイミングで行う。
【０００５】
・状況に応じて点灯箇所が増加したり減少したりする固定画像（固定ピクト）の表示において、点灯する確率の高い箇所ほど予め表示輝度を低く設定しておく。
【０００６】
【特許文献１】ＷＯ２００３／０７５２５５（特願２００３−５７３６３１）号公報
【発明の開示】
【発明が解決しようとする課題】
【０００７】
しかしながら、上述した従来の有機ＥＬ素子における焼きつきの顕著化を低く抑える方法は、いずれも電気的な制御によるものであり、専用の回路や該回路を動作させるためのプログラムが必要となり、その分、製品のコストが高くなってしまうという問題がある。
【０００８】
本発明は、係る事情に鑑みてなされたものであり、電気的な制御を行うことなく簡潔な構成で、自発光素子の焼きつきの顕著化を低く抑えることができる画像表示装置を提供することを目的とする。
【課題を解決するための手段】
【０００９】
上記目的は下記構成により達成される。
本発明の画像表示装置は、平板状に形成され、所定時間以上点灯する固定画像を表示する固定画像領域を持つ自発光素子と、前記自発光素子の表示面側に近接配置される透過パネルと、を備え、前記固定画像領域に対応して、前記自発光素子又は前記透過パネルに不透明化した領域を設けた。
【００１０】
この構成によれば、焼きつきしやすい固定画像を不透明化した領域に配置することで、固定画像のエッジがぼやけて自発光素子の焼きつきの顕著化が低減する。このように、電気的な制御を行うことなく簡潔な構成で、自発光素子の焼きつきの顕著化を低く抑えることができる。なお、固定画像は元々コントラストが高いため、多少エッジがぼやけても視認性が顕著に悪くなることはない。
【００１１】
本発明の画像表示装置において、少なくとも不透明化した前記固定画像領域にグラデーションを付け、点灯確率の高い固定画像を前記固定画像領域の透過率の低い側に配置した。
【００１２】
この構成によれば、点灯確率の異なる複数の固定画像がある場合、透過率の低い領域側に点灯確率の高い固定画像を配置することで、固定画像全体の自発光素子に対する焼きつきの顕著化を均一にできる。
【００１３】
本発明の画像表示装置において、前記固定画像が点灯確率の異なる少なくとも２つの部分から構成され、点灯確率の高い部分を前記固定画像領域の透過率の低い側に配置し、点灯確率の低い部分を前記固定画像領域の透過率の高い側に配置した。
【００１４】
この構成によれば、例えば携帯端末のアンテナバーや電池マークのように、点灯確率の異なる複数の部分から構成される固定画像がある場合、点灯確率の高い部分を透過率の低い領域側に、点灯確率の低い部分を透過率の高い領域側に配置することで、点灯確率の異なる複数の部分から構成される固定画像の自発光素子に対する焼きつきの顕著化を均一にできる。
【００１５】
本発明の画像表示装置において、前記固定画像領域に対して、前記固定画像領域の幅方向である垂直方向にグラデーションを付けた。
【００１６】
この構成によれば、点灯確率の異なる複数の固定画像を垂直方向に表示する場合、点灯確率の高い固定画像を透過率の低い領域側に配置し、点灯確率の低い固定画像を透過率の高い領域側に配置することで、固定画像全体の自発光素子に対する焼きつきの顕著化を均一にできる。
【００１７】
本発明の画像表示装置において、前記固定画像領域に対して、前記固定画像領域の長さ方向である水平方向にグラデーションを付けた。
【００１８】
この構成によれば、点灯確率の異なる複数の固定画像を水平方向に表示する場合、点灯確率の高い固定画像を透過率の低い領域側に配置し、点灯確率の低い固定画像を透過率の高い領域側に配置することで、固定画像全体の自発光素子に対する焼きつきの顕著化を均一にできる。
【００１９】
本発明の画像表示装置において、前記固定画像領域に対して、前記固定画像領域の幅方向である垂直方向及び前記固定画像領域の長さ方向である水平方向のそれぞれにグラデーションを付けた。
【００２０】
この構成によれば、透過率を直線的に連続して変化させるのではなく、部分的（あるいは段階的）に変化させることが可能となり、固定画像が例えば携帯端末のアンテナバーのように点灯確率の異なる複数の部分から構成される場合、透過率の低い領域から高い領域に向けて点灯確率の高い部分から順に配置することで、アンテナバー全体の自発光素子に対する焼きつきの顕著化を均一にできる。
【００２１】
本発明の携帯端末は、上記画像表示装置のいずれかを備える。
【００２２】
この構成によれば、焼きつきしやすい固定画像を不透明化した領域に配置することで、固定画像のエッジがぼやけて自発光素子の焼きつきの顕著化を低減させることができる。
【００２３】
本発明の画像表示装置は、平板状に形成され、所定時間以上点灯する固定画像を表示する第１領域と、規則性のない不規則画像を表示する第２領域を持つ自発光素子と、前記自発光素子の表示面側に近接配置される透過パネルと、前記第１領域に対応して不透明化した、前記自発光素子又は前記透過パネル上の不透明化領域と、前記第２領域に対応して透明化し、前記不透明化領域より透過率が高い、前記自発光素子又は前記透過パネル上の透明化領域と、を備える。
【００２４】
この構成によれば、焼きつきしやすい固定画像を不透明化領域に配置することで、固定画像のエッジがぼやけて自発光素子の焼きつきの顕著化が低減する。このように、電気的な制御を行うことなく簡潔な構成で、自発光素子の焼きつきの顕著化を低く抑えることができる。なお、固定画像は元々コントラストが高いため、多少エッジがぼやけても視認性が顕著に悪くなることはない。
【発明の効果】
【００２５】
本発明の画像表示装置は、電気的な制御を行うことなく簡潔な構成で、自発光素子の焼きつきの顕著化を低く抑えることができる。
【発明を実施するための最良の形態】
【００２６】
以下、本発明を実施するための好適な実施の形態について、図面を参照して詳細に説明する。
【００２７】
（実施の形態１）
図１は、本発明の実施の形態１に係る画像表示装置の概略構成を示す分解斜視図である。本実施の形態の画像表示装置は、携帯電話等の携帯端末に適用したものであり、携帯端末の筐体１０の上部に設けられ、平板状に形成され、所定時間以上点灯する固定画像を表示する固定画像領域１１ａを持つ自発光素子１１と、自発光素子１１の表示面側に近接配置される上部パネル１３とを備えて構成される。自発光素子１１には、例えば有機ＥＬ素子が用いられる。自発光素子１１と上部パネル１３との間に、発泡ウレタン等の緩衝材を矩形の枠状に形成したクッション１２が介挿される。
【００２８】
上部パネル１３は、透過パネル１５と、この透過パネル１５を支持する枠体１７とから構成される。透過パネル１５の一部分には、自発光素子１１の固定画像領域１１ａに対応して、不透明化（透過率を下げることと同等）した帯状の固定画像領域１６が透過パネル１５の幅方向（即ち、水平方向）に形成されている。不透明化した固定画像領域１６は絶対的な輝度を下げるものであり、自発光素子１１に表示する固定画像である固定ピクトを固定画像領域１６に配置することで、固定ピクトのエッジがぼやけて自発光素子１１の焼きつきの顕著化を低く抑える。即ち、不透明化した固定画像領域１６を設けることで絶対的な輝度を下げることができるので、固定ピクトの焼きつきが自発光素子１１に生じた場合に、焼きつきが生じた部分と生じていない部分との輝度差が小さくなって、焼きつきの顕著化が低く抑えられる。因みに、携帯端末で使用されるアンテナバーや電池マーク等の固定ピクトは元々コントラストが非常に高いため、エッジがぼやけて輝度が下がっても視認性が顕著に悪くなることがない。なお、固定画像領域１６を不透明化する方法としては、鑢をかけてパネル表面を荒らす方法やパネル表面に印刷を行う方法等が挙げられる。
【００２９】
図２は、透過パネル１５とその透過率をグラフ表示した図である。同図に示すように、透過パネル１５の固定画像領域１６の透過率は全体に亘って均一で例えば２０％程度であり、それ以外の部分（通常表示領域）の透過率は全体に亘って均一で理想的には１００％である。上記通常表示領域には、通常の画像、即ち規則性のない不規則画像が表示される。
【００３０】
有機ＥＬ素子の仕様は、例えば白輝度＝１５０ｃｄ／ｍ２、黒輝度＝０．１５ｃｄ／ｍ２、コントラスト＝１，０００：１である。透過パネル１５をモデル化し、透明部（透過パネル１５の固定画像領域１６以外の通常表示領域）の透過率＝１００％、不透明部（透過パネル１５の固定画像領域１６）の透過率＝５０％、白輝度＝２００ｃｄ／ｍ２、焼きついた白輝度＝１００ｃｄ／ｍ２、黒輝度＝１ｃｄ／ｍ２の場合には、透明部の白輝度と焼きついた白輝度の差は１００ｃｄ／ｍ２となり、不透明部の白輝度と焼きついた白輝度の差は５０ｃｄ／ｍ２となる。コントラストは、２００／１（透明部）＝１００／０．５（不透明部）＝２００である。この式は、透明部であろうが、不透明部であろうが、コントラストは不変であることを意味している。
【００３１】
このように本実施の形態の画像表示装置によれば、透過パネル１５に不透明化した固定画像領域１６を形成して、固定画像領域１６に焼きつきを起こしやすい固定画像である固定ピクトを配置したので、自発光素子１１に固定ピクトを表示することによる焼きつきの顕著化を低く抑えることができる。即ち、電気的な制御を行うことなく簡潔な構成で自発光素子１１の焼きつきの顕著化を低く抑えることができる。
【００３２】
なお、本実施の形態では、透過パネル１５に鑢をかけたり、印刷を行ったりして固定画像領域１６の不透明化を図っていたが、透過パネル１５の表面もしくは自発光素子１１の表面に車の窓に貼るスモークフィルム（所謂カーフィルム）のようなシール状のものを貼ることにより不透明化した固定画像領域１６として設けることも可能である。
【００３３】
（実施の形態２）
図３は、本発明の実施の形態２に係る画像表示装置の透過パネルとその透過率をグラフ表示した図である。同図において、本実施の形態の画像表示装置の透過パネル２０は、上述した実施の形態１の透過パネル１５と同様に、該透過パネル２０に不透明化した固定画像領域２１を形成したものであるが、実施の形態１の透過パネル１５と異なる点はグラデーションを付けている点である。透過パネル２０に付けたグラデーションは、図３の透過率を示すグラフ表示から明らかなように、固定画像領域２１の幅方向（即ち、垂直方向）に透過率が直線的に徐々に高くなるものである。即ち、本実施の形態の透過パネル２０に付けたグラデーションは、透過パネル２０の長さ方向の外周端２０ａから固定画像領域２１以外の通常表示領域側（即ち、内側）へ向かうに従って透過率が上がるようにしたものである。
【００３４】
透過パネル２０のグラデーションを付けた領域に自発光素子１１により点灯確率の異なる複数の固定画像である固定ピクトを表示する場合、透過率の高い領域側に点灯確率の低い固定ピクトを配置し、透過率の低い領域側に点灯確率の高い固定ピクトを配置する。例えば、携帯端末で使用されるアンテナバーや電池マーク等の点灯確率の高い固定ピクトの場合、該固定ピクトを固定画像領域２１の透過率の低い領域側に配置する。このように、焼きつきを起こしやすい固定ピクトほど透過率の低い領域側に配置することで、固定ピクト全体の自発光素子１１に対する焼きつきの顕著化の均一化が図れる。
【００３５】
このように本実施の形態の画像表示装置によれば、透過パネル２０に、その長さ方向の外周端２０ａから固定画像領域２１以外の通常表示領域側（内側）へ向かうに従って透過率が上がるようにしたグラデーションを付けたので、点灯確率の異なる複数の固定画像である固定ピクトがある場合に、点灯確率の高い固定ピクトほど透過率の低い領域側に配置することで、固定ピクト全体の自発光素子１１に対する焼きつきの顕著化の均一化が図れる。
【００３６】
なお、本実施の形態では、透過パネル２０に対して、固定画像領域２１の幅方向（即ち、垂直方向）に透過率が直線的に徐々に高くなるようなグラデーションを付けたが、固定画像領域２１の長さ方向（即ち、水平方向）に透過率が直線的に徐々に高くなるようなグラデーションを付けることも可能である。この場合も点灯確率の低い固定ピクトを透過率の高い領域側に、点灯確率の高い固定ピクトを透過率の低い領域側に配置することで、固定ピクト全体の自発光素子１１に対する焼きつきの顕著化の均一化が図れる。
【００３７】
また、本実施の形態でも実施の形態１と同様に、透過パネル２０に鑢をかけたり、印刷を行ったりしてグラデーションを付けることができるが、透過パネル２０の表面もしくは自発光素子１１の表面に車の窓に貼るスモークフィルム（所謂カーフィルム）のようなシール状のものを貼ることによりグラデーションを付けることも可能である。
【００３８】
（実施の形態３）
図４は、本発明の実施の形態３に係る画像表示装置の透過パネルとその透過率をグラフ表示した図である。同図において、本実施の形態の画像表示装置の透過パネル３０は、上述した実施の形態２の透過パネル２０と同様に、該透過パネル３０にグラデーションを付けた固定画像領域３１を形成したものであるが、実施の形態２の透過パネル２０と異なる点は、垂直方向及び水平方向のそれぞれにグラデーションを付けている点である。特に、本実施の形態の透過パネル３０に付けたグラデーションでは、図４の透過率を示すグラフ表示から明らかなように、固定画像領域３１の幅方向（即ち、垂直方向）に透過率が直線的に徐々に高くなるとともに、長さ方向（即ち、水平方向）の両端部分のそれぞれから透過パネル３０の中央に向かうに従って透過率が直線的に徐々に高くなるようにしている。
【００３９】
図５は、固定画像領域３１に付けたグラデーションのうち、左端部分を拡大表示するとともに、当該部分の透過率をグラフ表示した図である。同図に示すように、固定画像領域３１の透過率は、透過パネル３０の幅方向（即ち、水平方向）の外周端３０ｂからパネル中央に向かうに方向において、初めは一定の値をとり、その後、１００％程度になるまで直線的に徐々に高くなるようにしている（透過率Ａ＜透過率Ｂ）。そして、例えば図６に示すアンテナバー４０のように点灯確率の異なる複数の部分４０ａ〜４０ｄから構成される固定ピクトを固定画像領域３１に配置する場合、図７に示すように最も点灯確率の高い部分４０ａを透過率の最も低い外周端３０ｂ側に配置し、残りの部分４０ｂ〜４０ｄは透過率が高くなる方向に順次配置する。
【００４０】
このように配置することで、アンテナバー４０の各部分４０ａ〜４０ｄによる自発光素子１１の焼きつきの顕著化を均一にできる。なお、この場合、アンテナバー４０の各部分４０ａ〜４０ｄの点灯確率は、４０ａ＞４０ｂ＞４０ｃ＞４０ｄである。点灯確率の異なる複数の部分から構成される固定ピクトには、アンテナバーの他に電池マークもあり、この場合もアンテナバーの場合と同様に各部分を配置することで、各部分による自発光素子１１の焼きつきの顕著化の均一化が図れる。
【００４１】
このように本実施の形態の画像表示装置によれば、透過パネル３０に、その長さ方向の外周端３０ａから固定画像領域３１以外の通常表示領域側（内側）へ向かうに従って透過率が直線的に徐々に高くなるとともに、幅方向の両端部分のそれぞれの外周端３０ｂから透過パネル３０の中央に向かうに従って透過率が直線的に徐々に高くなるようにしたグラデーションを付けたので、点灯確率の異なる複数の部分から構成される固定画像である固定ピクトを表示する場合に、点灯確率の低い部分を透過率の高い領域側に、点灯確率の高い部分を透過率の低い領域側に配置することで、点灯確率の異なる複数の部分から構成される固定ピクトによる自発光素子１１の焼きつきの顕著化を均一にできる。
【００４２】
なお、本実施の形態でも実施の形態１と同様に、透過パネル３０に鑢をかけたり、印刷を行ったりしてグラデーションを付けることができるが、透過パネル３０の表面もしくは自発光素子１１の表面に車の窓に貼るスモークフィルム（所謂カーフィルム）のようなシール状のものを貼ることによりグラデーションを付けることも可能である。
【００４３】
また、上記実施の形態１〜３では、本発明を携帯端末に適用した場合を想定していたが、固定ピクト等の固定画像を表示する機能を有する画像表示装置の全てに適用することができる。
【００４４】
また、上記実施の形態１〜３では、通常の画像の表示と固定ピクトの表示を同一の自発光素子１１で行うので、通常の画像の表示と固定ピクトの表示を別個に行う場合と比べてソフトウェア制御やハードウェア構成を簡略化できる。因みに、固定ピクトの種類の少ない場合、従来は固定ピクトのＬＥＤ（発光ダイオード）を点灯させている。また、固定ピクトを直接自発光素子１１に表示することで、自発光素子１１の配置を物理的に縦方向から横方向あるいはその逆に変更しても、通常の画像の表示と固定ピクトの表示を自由に対応させることができる。
【００４５】
また、上記実施の形態１〜３では、自発光素子１１として、有機ＥＬ素子を想定していたが、その他、例えばプラズマ表示素子を用いても構わない。
【００４６】
本発明を詳細にまた特定の実施態様を参照して説明したが、本発明の精神と範囲を逸脱することなく様々な変更や修正を加えることができることは当業者にとって明らかである。
【産業上の利用可能性】
【００４７】
本発明は、電気的な制御を行うことなく簡潔な構成で自発光素子の焼きつきの顕著化を低く抑えることができるといった効果を有し、固定ピクト等の固定画像を表示する機能を有する画像表示装置の全てに適用が可能である。
【図面の簡単な説明】
【００４８】
【図１】本発明の実施の形態１に係る画像表示装置の概略構成を示す分解斜視図
【図２】本発明の実施の形態１に係る画像表示装置の透過パネルとその透過率をグラフ表示した図
【図３】本発明の実施の形態２に係る画像表示装置の透過パネルとその透過率をグラフ表示した図
【図４】本発明の実施の形態３に係る画像表示装置の透過パネルとその透過率をグラフ表示した図
【図５】本発明の実施の形態３に係る画像表示装置の透過パネルの固定画像領域に付けたグラデーションのうち、左端部分を拡大表示するとともに、当該部分の透過率をグラフ表示した図
【図６】本発明の実施の形態３に係る画像表示装置の透過パネルの固定画像領域に配置される固定ピクトの一例であるアンテナバーを示す図
【図７】本発明の実施の形態３に係る画像表示装置の透過パネルの固定画像領域にアンテナバーを配置した状態を示す図
【符号の説明】
【００４９】
１０  筐体
１１  自発光素子
１１ａ  固定画像領域
１２  クッション
１３  上部パネル
１５、２０、３０  透過パネル
１６、２１、３１  固定画像領域
１７  枠体
２０ａ、３０ａ、３０ｂ  外周端
４０  アンテナバー
【手続補正３】
【補正対象書類名】図面
【補正対象項目名】全図
【補正方法】変更
【補正の内容】
【図１】
2008053537.tif 000010
【図２】
2008053537.tif 000011
【図３】
2008053537.tif 000012
【図４】
2008053537.tif 000013
【図５】
2008053537.tif 000014
【図６】
2008053537.tif 000015
【図７】
2008053537.tif 000016
【国際調査報告】
2008053537.tif 000017
2008053537.tif 000018
2008053537.tif 000019